(57)【特許請求の範囲】
【請求項１】
水素を含む気体混合物を圧縮する圧縮器；
圧縮された気体混合物を受容する脱硫ユニット；
脱硫ユニットからイオウが減少した気体混合物を受容する水素抽出装置；及び
抽出された水素ガスを受容する水素貯蔵装置；
を含む水素抽出システム。
【請求項２】
脱硫ユニットによって、圧縮された気体混合物中に含まれるイオウの少なくとも一部を除去してイオウが減少した気体混合物を生成させる、請求項１に記載のシステム。
【請求項３】
水素抽出装置によって、イオウが減少した気体混合物中に含まれる水素の少なくとも一部を除去して抽出された水素ガスを生成させる、請求項１に記載のシステム。
【請求項４】
水素抽出システムが、天然ガス及び水素ガスを含む気体混合物を供給するネットワークに流体接続されている、請求項１に記載のシステム。
【請求項５】
脱硫ユニットが、イオウが減少した気体混合物から水素の少なくとも一部を除去した後の水素抽出装置からのイオウが減少した気体混合物の供給流を更に受容し、イオウが減少した気体混合物の供給流を圧縮された気体混合物から除去されるイオウと混合し、混合した気体混合物をネットワークに戻す、請求項４に記載のシステム。
【請求項６】
水素抽出装置が圧力スイング吸着装置を含む、請求項１に記載のシステム。
【請求項７】
圧縮器から排出される圧縮された気体混合物を受容する選択膜装置を更に含み、選択膜装置が、圧縮された気体混合物の水素濃度を増加させる水素選択膜を含む、請求項６に記載のシステム。
【請求項８】
選択膜装置によって水素富化流体を脱硫ユニットに供給する、請求項７に記載のシステム。
【請求項９】
水素抽出装置が電気化学スタックを含む、請求項１に記載のシステム。
【請求項１０】
電気化学スタックが、抽出された水素ガスを少なくとも部分的に精製及び圧縮するように構成されている、請求項９に記載のシステム。
【請求項１１】
抽出された水素ガスを受容し、電気を生成させる燃料電池を更に含む、請求項１に記載のシステム。
【請求項１２】
気体混合物を圧縮し；
圧縮された気体混合物中に含まれるイオウの少なくとも一部を除去して、イオウに富む流れ及びイオウが減少した混合物を形成し；
水素抽出装置において脱硫ユニットからのイオウが減少した混合物を受容し；
イオウが減少した混合物中に含まれる水素の少なくとも一部を除去して、水素貧化混合物及び水素ガスを形成し；そして
水素ガスを水素貯蔵装置に供給する；
ことを含む、天然ガス及び水素を含む気体混合物から水素を抽出する方法。
【請求項１３】
ネットワークから気体混合物を受容し；
水素貧化混合物をイオウに富む流れと混合して再硫化混合物を形成し；そして
再硫化混合物をネットワークに供給する；
ことを更に含む、請求項１２に記載の方法。
【請求項１４】
ネットワークが既存の天然ガスネットワークを含む、請求項１３に記載の方法。
【請求項１５】
膜を通して水素を選択的に通過させて水素ガス濃度を増加させることを更に含む、請求項１２に記載の方法。
【請求項１６】
貯蔵された水素ガスを燃料電池に供給して電気を生成させることを更に含む、請求項１２に記載の方法。
【請求項１７】
（ａ）水素ガスの質量流量を求め；
（ｂ）天然ガスの質量流量を求め；
（ｃ）水素ガスの質量流量に、水素ガスに関する因子を乗じ；
（ｄ）天然ガスの質量流量に、天然ガスに関する因子を乗じ；そして
（ｅ）工程（ｃ）及び工程（ｄ）の値を合計する；
ことを含む、気体混合物のためのエネルギー価格を決定することを更に含む、請求項１２に記載の方法。
【請求項１８】
水素ガス及び天然ガスを含む気体混合物の流量から水素ガスの質量流量を減じることによって天然ガスの質量流量を求める、請求項１７に記載の方法。
【請求項１９】
水素ガスに関する因子が水素ガスに関する市場価値因子を含み、天然ガスに関する因子が天然ガスに関する市場価値因子を含む、請求項１７に記載の方法。
【請求項２０】
水素ガスに関する因子が、ネットワークへの水素ガスの戻りによってネットワークに加えられる値を計上する因子を含み、天然ガスに関する因子が、ネットワークからの水素ガスの抽出によってネットワークから減じられる値を計上する因子を含む、請求項１７に記載の方法。
【発明の詳細な説明】
【技術分野】
【０００１】
本出願は、２０１２年７月２４日出願の米国仮特許出願６１／６７５，０４１（その全部を参照として本明細書中に包含する）に対する優先権を主張する。
【０００２】
[0001]本発明は、概して分配水素抽出のためのシステムに関する。
【背景技術】
【０００３】
[0002]幾つかのエネルギー源は現在ネットワークによって分配されており、一方、他のエネルギー源はバルクで供給され、現地で貯蔵される。例えば、電気及び幾つかのガスのネットワークは、居住世帯及び商業運転にエネルギーを供給するために電力線及びパイプラインを用いている。これに対して、石油及び幾つかの他のガスはトラックによって現地の貯蔵施設に輸送される。しかしながら、規制の変更、環境的考慮、及び経済的ファクターが、エネルギー源の将来の分配に影響を与えるであろう。
【０００４】
[0003]水素ガスは、通常はタンカーを用いて分配され、現地の大型タンク又は特定の分配センター内で貯蔵される。他の水素分配システムにおいては既存のガスネットワークを用いることができ、ここでは水素を既存のネットワークによって分配するために輸送ガスに加える。ネットワークに接続される抽出システムによって、必要に応じて輸送ガスから水素を抽出して、輸送及び貯蔵コストを減少させることができる。
【０００５】
[0004]水素分配の１つの提案されている方法は、天然ガス（ＮＧ）又は合成ＮＧ（ＳＮＧ）ネットワークを用いる。ＮＧの通常の消費者に大きな影響を与えることなく、５０％以下の水素をＮＧネットワークに加えることができる。幾つかの提案には、既存のＮＧネットワークに約１０％〜約２０％の水素を加えることが含まれる。水素を再生可能に又は化石燃料から製造して既存のＮＧネットワークに加えることができ、そこで数多くの消費者に分配することができる。複数の水素抽出システムを既存のネットワークに接続して、必要に応じて水素を抽出するように構成することができる。
【発明の概要】
【発明が解決しようとする課題】
【０００６】
[0005]現在の水素生成システムは、幾つかの理由のために上記のネットワークに関して用いるのには好適ではない。殆どの現在の水素生成システムは工業規模の運転用に構成されており、小規模の使用には好適ではない。これらは、大型で、高価で、運転するのが複雑で、或いは大規模なメンテナンスが必要である可能性がある。
【課題を解決するための手段】
【０００７】
[0006]本発明は、既存の水素生成システムの１以上の欠点を克服することに関する。更に、本明細書に記載する抽出システムによって生成される水素は、その場で貯蔵するか、専用の水素分配システムに供給するか、或いはその場で使用することができる。例えば、抽出された水素を燃料電池に供給して、電気を生成させるために用いることができる。
【０００８】
[0007]本発明の他の形態は、水素ガスの使用量を監視して価格設定することに関する。例えば、水素ガスはＮＧよりも大きな価値を有していると思われるので、水素ガスの消費量をＮＧの消費量とは別に監視することによって、消費されるガスの実際のコストがより正確に計上される。これはブレンドされた燃料の収益化にも影響を与える可能性がある。本明細書は、使用時に水素及びＮＧの消費量の両方を監視するシステム及び方法を記載する。
【０００９】
[0008]本発明の一形態は水素抽出システムに関する。抽出システムには、水素を含む気体混合物を圧縮する圧縮器、及び圧縮された気体混合物を受容する脱硫ユニットを含ませることができる。システムにはまた、イオウが減少した気体混合物を受容する水素抽出装置、及び抽出された水素ガスを受容する水素貯蔵装置を含ませることもできる。
【００１０】
[0009]本発明の他の形態は、天然ガス及び水素を含む気体混合物から水素を抽出する方法に関する。この方法には、気体混合物を圧縮し、圧縮された気体混合物中に含まれるイオウの少なくとも一部を除去して、イオウに富む流れ及びイオウが減少した混合物を形成することを含ませることができる。この方法にはまた、イオウが減少した混合物中に含まれる水素の少なくとも一部を除去して、水素貧化混合物及び水素ガスを形成し、水素ガスを水素貯蔵装置又は他の使用に供給することを含ませることもできる。
【００１１】
[0010]本発明の他の形態は、エネルギー価格を決定する方法に関する。この方法には、（ａ）水素ガスの質量流量を求め、そして（ｂ）天然ガスの質量流量を求める；ことを含ませることができる。この方法にはまた、（ｃ）水素ガスの質量流量に、水素ガスに関する因子を乗じ；（ｄ）天然ガスの質量流量に、天然ガスに関する因子を乗じ；そして（ｅ）工程（ｃ）及び工程（ｄ）の値を合計する；ことを含ませることもできる。
【００１２】
[0011]本発明の更なる目的及び有利性は、部分的には下記の記載において示され、部分的には記載から明らかになり、或いは本発明の実施によって知得することができる。本発明の目的及び有利性は、特に特許請求の範囲において示される構成要素及び組み合わせによって認識及び実現されるであろう。
【００１３】
[0012]上記の一般的な記載及び下記の詳細な記載は両方とも例示及び説明のみのものであり、特許請求されているシステム、装置、及び方法を限定するものではないことを理解すべきである。
【００１４】
[0013]明細書中に含まれてその一部を構成する添付の図面は、本発明の幾つかの態様を示し、明細書と一緒に本発明の原理を説明するように働く。
【図面の簡単な説明】
【００１５】
【図１】[0014]図１は、代表的な態様による水素分配システムの概要図である。
【図２】[0015]図２は、代表的な態様による水素抽出システムの概要図である。
【図３】[0016]図３は、他の代表的な態様による他の水素抽出システムの概要図である。
【図４】[0017]図４は、他の代表的な態様による図３の水素抽出システムの概要図である。
【図５Ａ】[0018]図５Ａは、代表的な態様による監視システムの概要図である。
【図５Ｂ】[0019]図５Ｂは、他の代表的な態様による図５Ａの監視システムの概要図である。
【図５Ｃ】[0020]図５Ｃは、他の代表的な態様による図５Ａの監視システムの概要図である。
【発明を実施するための形態】
【００１６】
[0021]ここで本発明の代表的な態様について詳細に説明し、これらの例を添付の図面において示す。可能な限り、同じか又は類似の構成要素を指すためには、図面全体を通して同じ参照番号を用いる。
【００１７】
[0022]図１は、代表的な開示される態様による水素分配システム１０の概要図である。水素分配システム１０には、流体を種々の場所に分配するネットワーク２０を含ませることができる。ネットワーク２０は、種々の液体又は気体の混合物、或いは単一のタイプの液体又は気体を輸送するように設計することができる。例えば、ネットワーク２０に既存の気体分配システムを含ませることができる。
【００１８】
[0023]種々のパイプライン、導管、流路、並びに他の流体輸送装置及びシステムによって、ネットワーク２０の少なくとも一部を形成することができる。ネットワーク２０にはまた、流体を取り扱うように設計されている種々の装置（図示せず）を含ませることもできる。これらの装置には、貯蔵施設、ポンプ場、バルブ、フィルター、計量装置、制御システム、監視システム、或いは流体又は気体の輸送に関して用いられる他の装置を含ませることができる。
【００１９】
[0024]幾つかの態様においては、ネットワーク２０には、天然ガス（ＮＧ）を住宅又は商業施設に供給する天然ガス分配システムを含ませることができる。ＮＧは幾つかの気体種の混合物を含んでいてよい。ネットワーク２０には、ＮＧなどの種々の流体を受容するように構成されるパイプライン３０を含ませることができる。更に、水素源４０をパイプライン３０に流体接続して、ネットワーク２０に水素を供給することができる。
【００２０】
[0025]水素源４０には、水蒸気改質器（図示せず）、又は水素を生成させるように構成されている他の装置を含ませることができる。水蒸気改質器には、電気、水、及びパイプライン３０からのＮＧを供給することができる。電気は、従来のエネルギー源、或いは風力エネルギー又は太陽エネルギーのような代替のエネルギー源によって供給することができる。水蒸気改質器には、中央ノードにおいて水素を大流量又は高圧パイプライン中に注入する大型改質器（例えば＞２０００ｋｇ／日）を含ませることができる。幾つかの工業用改質器は、一日あたり約６００トン以下の水素を生成させることができる。他の態様においては、水蒸気改質器には、使用者の住居に配置される小型改質器（例えば＜５ｋｇ／日）を含ませることができる。大型と小型の間の任意の規模の他の水蒸気改質器を用いることもできる。
【００２１】
[0026]水素の他の供給源には、電気、再生可能な電気（風力、太陽、地熱）、再生できない電気（石炭、石油、ガス、原子力）を用いる水の電気分解、生物学的生成、直達日射触媒反応による水の分解、又は廃水処理によって水素を生成させるために用いるシステム又は方法を含ませることができる。
【００２２】
[0027]複数の水素源４０をネットワーク２０全体に配置して、必要な場合にはパイプライン３０に水素を供給するように構成することができる。幾つかの態様においては、パイプライン３０内の気体混合物６０は、８０％より多いＮＧ及び２０％未満の水素であってよい。気体混合物６０はまた、５％未満の水素、及び１０％未満の水素を含んでいてもよい。気体混合物６０は、幾つかの場合においては７５％以下の水素を含んでいてよい。また、約１００％の水素を有する気体混合物６０を分配するための専用のシステムをネットワーク２０に含ませることができることも意図される。更に、１以上の水素抽出システム７０をネットワーク２０に接続することができる。
【００２３】
[0028]図２は、代表的な開示される態様による水素抽出システム（ＨＥＳ）７０の概要図である。ＨＥＳ７０は、気体混合物６０から水素を抽出するように構成することができる。幾つかの態様においては、ＨＥＳ７０には、水素ガスを分離、精製、及び／又は圧縮するコスト効率の良いシステムを含ませることができる。比較的少数の構成要素を与えれば、ＨＥＳ７０は小さい容積及び／又は小さい設置面積を占めるように構成することができる。このように、ＨＥＳ７０は住居用又は小規模の商業用途において用いることができる。
【００２４】
[0029]例えば、ＨＥＳ７０は、１台の燃料電池電気自動車（ＦＣＥＶ）に対して約０．５ｋｇ／日、又は２台のＦＣＥＶに対して約１ｋｇ／日の水素を供給するように構成することができる。水素ガスは次に、ＦＣＥＶ内に搭載して貯蔵するために必要な可能性がある約３５０〜約７００ｂａｒａの間の圧力に圧縮することができる。ＨＥＳ７０は、２台より多いＦＣＥＶの車隊のために必要な速度で水素を供給するような寸法にすることができる。他の例においては、ＨＥＳ７０は、約４ｋｇ／日（例えば住居用）、約２５ｋｇ／日（例えば共同住宅用）、約５０ｋｇ／日（例えば工業用建物用）、又は約２５０ｋｇ／日（例えば大型の製造又は分配センター）、或いは約１，５００〜約２，５００ｋｇ／日（例えばサービスステーションにおける燃料電池自動車の燃料補給）のような据え置き型電気生成のための燃料電池に燃料供給するように構成することができる。
【００２５】
[0030]ＨＥＳ７０は、供給導管８０を介してパイプライン３０に流体接続することができる。図５Ａ〜５Ｃに関して下記に説明するように、供給導管８０には、パイプライン３０からＨＥＳ７０への気体混合物６０の流れを監視する計量装置（４００、しかしながら図２においては示していない）を含ませることができる。供給導管８０は、流体を圧縮するように構成されている圧縮器９０に流体接続することができる。圧縮器９０には、ポンプ、ブロワー、又は天然ガスに関して運転するのに好適な他の圧縮装置を含ませることができる。幾つかの態様においては、圧縮器９０は流体をポンプ移送するのみであってよく、流体を圧縮する必要がない可能性がある。特に、圧縮器９０はＨＥＳ７０の少なくとも一部を通して流体混合物をポンプ移送するように構成することができる。ＨＥＳ７０が低い圧力損失を有する場合には、圧縮器９０はブロワーとして運転することができる。
【００２６】
[0031]圧縮器９０からの排出物は、脱硫ユニット１００に供給される流体から少なくとも多少のイオウを除去するように構成されている脱硫ユニット１００中に送ることができる。種々のタイプの脱硫ユニット１００をＨＥＳ７０と共に運転することができる。例えば、脱硫ユニット１００には、再生式の熱スイング吸着（ＴＳＡ）タイプのものを含ませることができる。ＴＳＡは、脱硫ユニット１００から排出される流れから除去されるイオウを、パイプライン３０に戻される流れの中に加えて戻すことができるように構成することができる。かかる構成によって、例えば脱硫触媒の交換のようなメンテナンスの必要性を少なくするか又は無くすことができる。
【００２７】
[0032]幾つかの態様においては、ＨＥＳ７０は圧縮器９０を含まなくてよい。例えば、気体混合物６０は、十分な圧力でパイプライン３０から直接、脱硫ユニット１００に供給することができる。特に、気体混合物６０は約１００〜約１，０００ｐｓｉｇで供給することができる。かかる圧力又はこれより高い圧力においては、気体混合物６０は、脱硫ユニット１００中に送る前に更なる加圧が必要ない可能性がある。
【００２８】
[0033]脱硫ユニット１００によって流体からイオウを少なくとも部分的に除去した後、脱硫ユニット１００によって排出されるイオウが減少した気体混合物の供給流を水素抽出ユニット１１０に送って水素を抽出することができる。水素抽出ユニット１１０によって排出される抽出された水素ガスは、１以上の貯蔵容器１３０内に貯蔵することができる。
【００２９】
[0034]幾つかの態様においては、水素抽出ユニット１１０には、水素を分離、精製、及び／又は圧縮するように構成されている電気化学スタック（ＥＨＣ）１２０又は同様の装置を含ませることができる。ＥＨＣ１２０は、幾つかの他の形態の抽出ユニット１１０よりも簡単でコスト効率の良いシステムを与えるように構成することができる。例えば、ＥＨＣ１２０は、可動部品を有しないようにすることができ、或いは他の形態の抽出ユニット１１０よりも少ない構成要素を有するようにすることができる。更に、ＥＨＣ１２０は、圧力スイング吸着器システムよりも低いノイズ又は小さい設置面積を有するようにすることができる。
【００３０】
[0035]幾つかの態様においては、ＥＨＣ１２０によって排出される熱は、脱硫ユニット１００又は水素抽出システム７０の他の構成要素に供給することができる。この熱は、上記のＴＳＡベースの脱硫ユニット１００に関する熱再生プロセスを駆動するために用いることができる。
【００３１】
[0036]水素抽出ユニット１１０によって排出される水素が減少した流体混合物は、脱硫ユニット１００に供給して戻すことができる。脱硫ユニット１００内において、水素が減少した流体混合物を、脱硫ユニット１００によって抽出されたイオウと再混合することができる。得られる流体はパイプライン３０中に供給して戻すか、又は所望の場合には現地で用いることができる。
【００３２】
[0037]図３は、他の代表的な開示される態様による他の水素抽出システム（ＨＥＳ）１７０の概要図である。上記の態様と同様に、ＨＥＳ１７０には圧縮器１９０及び脱硫ユニット２００を含ませることができる。例えば、水素富化天然ガスを圧縮器１９０によって圧縮して、選択膜装置１８０に供給することができる。選択膜装置１８０は水素に関して選択的であってよく、流体の水素濃度を５０体積％より高い値に増加させるために用いることができる。
【００３３】
[0038]選択膜装置１８０は、供給側と透過側との間の水素分圧の差に基づいて水素を分離するために用いることができる。選択膜装置１８０には膜１８５を含ませることができ、膜１８５には、中空繊維束、螺旋巻回、又は平坦シートなどの種々の形態の緻密なポリマー膜を含ませることができる。かかる膜は、Air Products、BOC、又はAir Liquideのような専門の供給業者から商業的に入手できる。選択膜装置１８０にはまた、無機水素選択膜を含ませることもできる。
【００３４】
[0039]選択膜装置１８０から排出される流体は、上記の脱硫ユニット２００に供給することができる。他の態様においては、ＨＥＳ１７０は脱硫ユニット２００を有しない。選択膜装置１８０からの排出流は、圧力スイング吸着（ＰＳＡ）装置２１０に直接供給することができる。
【００３５】
[0040]ＰＳＡ２１０は、選択膜装置１８０からの透過流を更に精製して、水素純度を９０％より高く、９５％より高く、又は９９％より高い値に増加させるために用いることができる。ＰＳＡ２１０は、複数の吸収床、及び床を接続する配管ネットワークを用いることができる。吸着剤（図示せず）は、ビーズ形態又は構造化形態であってよい。回転弁、回転床、高速サイクルＰＳＡ、又は当該技術において公知の他の装置を用いることもできる。
【００３６】
[0041]図４は、他の代表的な開示される態様による他の水素抽出システム（ＨＥＳ）２７０の概要図である。上記の態様と同様に、ＨＥＳ２７０には、圧縮器２９０及び脱硫ユニット３００を含ませることができる。水素富化流体を、圧縮器２９０によって圧縮して脱硫ユニット３００に供給することができる。
【００３７】
[0042]脱硫ユニット３００には、気体混合物を選択膜装置２８０中に供給する前に気体混合物流からイオウ種を少なくとも部分的に除去するように構成されている多床脱硫装置を含ませることができる。脱硫ユニット３００内の一部の床は吸着モードで運転することができ、他の床は再生モードで運転することができる。脱着されたイオウ種は、上記と同様に選択膜装置２８０及び／又は圧力スイング吸収（ＰＳＡ）装置３１０から排出される戻りガスの一部を用いてパイプライン３０に戻すことができる。図４に示されるように、選択膜装置２８０から排出される流体は、ＰＳＡ３１０に供給することができる。他の態様においては、ＨＥＳ７０、１７０、２７０の種々の構成要素を、流体を他の構成要素から受容するか又は流体を他の構成要素に供給するように異なって構成することができる。
【００３８】
[0043]図５Ａ〜Ｃは、幾つかの代表的な態様による監視システム３９０の種々の構成を示す。監視システム３９０は、水素ガス混合物の流れを監視するように構成することができる。例えばプロセッサー、メモリー、通信システム等のような種々の電子コンポーネント（図示せず）をシステム３９０において用いることができる。監視システム３９０にはまた、パイプライン３０に流体接続され、パイプライン３０から気体混合物の供給流を受容するように構成される計量器４００を含ませることもできる。計量器４００はまた、水素抽出システム（ＨＥＳ）４７０に接続することもできる。
【００３９】
[0044]図５Ａ〜Ｃにおいては計量器４００を示しているが、流量を測定するために種々の他の装置又は方法を用いることができる。例えば、計量器４００に伝統的な流量計又はトータライザーを含ませることができる。他の態様においては、ＨＥＳ４７０の１以上の構成要素を用いて、ＨＥＳ４７０へ投入されるか又はこれから排出される１種類以上の気体の流量を監視することができる。
【００４０】
[0045]上記で説明したように、ＨＥＳ４７０から抽出される水素はその場で貯蔵するか、或いはこれを用いて燃料電池４１０又は水素分配ネットワーク（図示せず）に水素を供給することができる。ＨＥＳ４７０から排出される水素貧化天然ガスは、天然ガス（ＮＧ）ユニット４２０に供給することができる。ＮＧユニット４２０には、例えば熱源のようなＮＧを用いて運転するように構成される種々の家庭用又は商業用装置を含ませることができる。幾つかの態様においては、ＨＥＳ４７０から排出される水素又はＮＧは、パイプライン３０に戻すことができる。他の態様においては、ＥＨＣ１２０を用いて水素流を求めることができる。
【００４１】
[0046]水素はそれを輸送するのに用いるＮＧよりも価値があると思われる。したがって、ユーザーは、彼らがその一部しか消費しない場合には、気体混合物全体に対して代価を払うよりも、彼らがどのくらい多くの水素又はＮＧを消費するかに基づいて請求されることを好むであろう。ＮＧ又は水素のいずれかのユーザーの消費量に基づいて、エネルギー消費量に関する異なる価格を決定することができる。
【００４２】
[0047]図５Ａは、消費者がパイプライン３０によって供給される気体混合物からＮＧ及び水素ガスの両方を抽出する場合のシナリオを示す。例えば、ＮＧはＮＧユニット４２０に供給することができ、水素ガスは燃料電池４１０に供給することができる。投入流量及び排出流量のような種々の流量の分析に基づいて貨幣的価値を決定することができる。また、下記に示す計算式を修正して１以上の流れの種々の置換を含ませることができる。
【００４３】
[0048]図５Ａに示すシナリオに関して消費者に請求される価格は、２以上の計算値の合計又は等価決定であってよい。例えば、それぞれの計算値は、消費されたエネルギーにそのエネルギー形態に関する市場価値を乗じた値に比例させることができる。以下の等式（式１）を用いてエネルギー価格を決定することができる。
【００４４】
エネルギー価格＝ＶＨ２×ｍＨ２＋ＶＮＧ×（ｃｆｍ−ｍＨ２）
（式中、ＶＨ２は水素ガスに関する市場価値因子を表し、ｍＨ２は水素ガスの質量流量を表し、ＶＮＧはＮＧに関する市場価値因子を表し、ｃｆｍは計量器４００から読み取られる全質量流量を表す）
[0049]図５Ｂは、消費者がパイプライン３０によって供給される気体混合物から水素ガスのみを抽出し、全てのＮＧをパイプライン３０に戻すシナリオを示す。上記で説明したように、消費者に請求される価格は、２以上の計算値の合計であってよい。第１の計算値は、消費されたエネルギーに水素の市場価値を乗じた値に比例させることができる。第２の計算値は、パイプライン３０へのＮＧの戻りによって減じられるエネルギー価値に比例させることができる。以下の等式（式２）を用いてエネルギー価格を決定することができる。
【００４５】
エネルギー価格＝ＶＨ２×ｍＨ２＋Ｆｄｅｐｌｅｔｉｏｎ×（ｃｆｍ−ｍＨ２）
（式中、Ｆｄｅｐｌｅｔｉｏｎは、消費者の水素ガスの抽出によってＮＧネットワークから減じられる価値を計上する因子を表し、他の変数は式１に関して上記に記載した通りである）
[0050]図５Ｃは、消費者がパイプライン３０によって供給される気体混合物からＮＧのみを抽出し、全ての水素ガスをパイプライン３０に戻すシナリオを示す。消費者へ請求される価格は、２つの計算値の間の差にすることができる。第１の計算値は、消費されたエネルギーにＮＧに関する市場価値を乗じた値に比例させることができる。第２の計算値は、パイプライン３０への水素ガスの戻りによって加えられるエネルギー価値に比例させることができる。以下の等式（式３）を用いてエネルギー価格を決定することができる。
【００４６】
エネルギー価格＝ＶＨ２×（ｃｆｍ−ｍＨ２）−Ｆａｄｄｉｔｉｏｎ×ｍＨ２
（式中、Ｆａｄｄｉｔｉｏｎは、消費者の水素ガスの戻しによってＮＧネットワークに加えられる価値を計上する因子を表し、他の変数は式１に関して上記に記載した通りである）
[0051]本発明の他の態様は、本明細書及び本明細書において開示する概念の実施を考察することによって当業者に明らかになるであろう。例えば、ＮＧ以外の他のタイプの気体又は流体を、上記の発明に関して用いることができる。更に、上記のシステムの１以上の機能又は構成要素を単一のユニットに組み合わせることができる。更に、上記に記載のものと異なるパラメーターを用いるが、同様の概念又は原理を用いる異なる等式又はアルゴリズムを用いることができる。明細書及び実施例は例示のみのものと考えられ、本発明の真の範囲及び精神は特許請求の範囲によって示されると意図される。
【図１】
0006263178.tif 000002
【図２】
0006263178.tif 000003
【図３】
0006263178.tif 000004
【図４】
0006263178.tif 000005
【図５Ａ】
0006263178.tif 000006
【図５Ｂ】
0006263178.tif 000007
【図５Ｃ】
0006263178.tif 000008